(57)【特許請求の範囲】
【請求項１】
短冊板状の主部材（２）を幅方向が垂直になるように並らべ両端面に短冊板状の副部材（３）を溶接するなどして組立てた溝蓋用グレーチング（１）において、該主部材（２）には間隔をおいて全長に亘り排水用の透孔（６）を穿設し、主部材（２）と主部材（２）の間隔を広幅と狭幅が交互になるように配設すると共に、広幅に配設した主部材（２）、（２）間には主部材（２）と同じ長さで高さが低い軽溝形鋼（４）を溝状開口部が底側に開口するように嵌着し、主部材（２）、（２）と軽溝形鋼（４）の上面となす空隙を粒状骨材と接着剤よりなる透水性充填材（５）を並列せる主部材（２）、（２）の上面と同じ面となるよう充填したことを特徴とする溝蓋用グレーチング。
【請求項２】
狭幅に配設する主部材（２）と主部材（２）間において、狭幅部の主部材（２），（２）間の隙間寸法に主部材（２）に嵌挿保持させる長さを加えた長さを有する間隙保持用ピン（７）を主部材（２）の排水用透孔（６）を利用または間隙保持用ピン（７）保持用の透孔を穿設し並列した主部材（２）の側面に対し直角となるよう嵌挿保持せしめたことを特徴とする請求項１記載の溝蓋用グレーチング。
【発明の詳細な説明】
【０００１】
【発明の属する技術分野】
本発明は、道路、駐車場、公園などの側溝に使用される溝蓋用グレーチングに関するものである。
【０００２】
【従来の技術】
溝蓋用グレーチングは、従来よりステンレス鋼板よりなる短冊板状の主部材を幅方向が垂直になるように並らべ、同じく短冊板状の副部材を主部材の両端面に溶接、必要あればステンレス鋼製のねじり棒を副部材として用い、主部材に直交するよう電気圧接法などで溶接し、格子状に組立て溝蓋として使用して来た。
【０００３】
近時、市街地の歩道、公園などの道路は、舗装材料に着色した美粧な材料が用いられるようになり、それに伴なって溝蓋用グレーチングも透水性充填材で主部材間を充填したり、格子状に組立てたグレーチングの表面に間隔を置いて周囲の舗装材料と同じ材料を貼り付けるなど美粧化が図られるようになり、実用新案登録公報第２５１０４９４号、同第２５５２１２号など、多くの提案が見られるようになって来た。
【０００４】
【発明が解決しようとする課題】
従来の溝蓋用グレーチングは、主部材を格子状に組立てるが、その間隔は１５ｍｍから３０ｍｍと主として排水良好となるよう設計製作され、カラー舗装用溝蓋には両側に排水用のスリットを設けスリットとスリットの間に舗装材料を充填できるよう構成した化粧用溝蓋が用いられるが、溝蓋上を歩行者が歩いたとき主部材間の隙間にハイヒールなどの靴の踵が挟まらないようにとの要望があり、主部材の間隔を狭くすると溝蓋の重量が増し価額が高くなり、化粧用溝蓋は排水量の少ないアーケード街などの溝蓋としては良いが、公園などの場合排水が悪るく舗装材料の充填など面倒であるなど問題点があった。
【０００５】
近時、歩道、公園などの溝に使用する溝蓋を、排水良好でハイヒールなどの靴の踵が挟まることなく、主部材間に充填材を充填した美粧な溝蓋用グレーチングが要求されるようになって来た。
本発明は、排水性良好で透水性充填材を充填した安価な溝蓋用グレーチングを提供するを目的とする。
【０００６】
【課題を解決するための手段】
上記目的を達成するために、本発明の溝蓋用グレーチングにおいては、短冊板状の主部材に全長に亘り排水用の透孔を穿設すると共に、主部材の間隔を広幅と狭幅が交互になるように配設し、広幅に配設された主部材間には、主部材と同じ長さの軽溝形鋼を溝状の開口側が下側となるように嵌着し、軽溝形鋼の上側の主部材間に主部材の上面と同一面になるよう透水性充填材を充填することにより解決せるものである。
【０００７】
なお、短冊板状の主部材は厚さが均一なフラットバー、幅方向を垂直にしたときの上下の厚さが厚くなったＩバー、上端側のみが厚いＴバーなど何れを使用するも差支えなく、排水用の透孔は主部材間に嵌着される軽溝形鋼の高さに合わせ透水性充填材間を通過した水が排水できるように穿設し、その形状は充填する粒状骨材が通らなければ良く、スリット状に透孔するも差支えない。
また、透水性充填材は、砂利、セラミック、ガラス、硬質合成樹脂などの粒状骨材とエポキシ樹脂などの合成樹脂接着剤よりなり、必要に応じ接着剤に着色料などを混入する。
【０００８】
さらには、溝蓋グレーチングの組立時、狭幅部の主部材間の隙間寸法に主部材に嵌挿保持させる長さを加えた長さを有する間隙保持用ピンを排水用の透孔を利用または専用に穿設した保持用透孔に嵌挿し保持させておくと、狭幅部の隙間を一定に保つことができる。なお、保持用の透孔は穴でも差支えなく、そのときは間隙保持用ピンの長さを穴の深さに合わせ調節すればよく、間隙保持用ピンは、嵌挿保持部を透孔の径に合わせ間隙保持部の径をそれより太く形成するも、また、両側に嵌挿保持部を設けて相対する主部材の透孔で懸架するよう構成するも差支えなく、主部材の両端近くに各１本保持させるとよい。
【０００９】
【発明の実施の形態】
発明の実施の形態を実施例にもとづき図面を参照して説明する。
図面に示す如く、本発明は短冊板状の主部材（２）に全長に亘り排水用の透孔（６）を穿設し、短冊板状の主部材（２），（２）を幅方向が垂直になるよう、かつ、主部材（２）と主部材（２）の間隔を広幅と狭幅が交互になるように配設し、広幅に設定された主部材（２）と主部材（２）間には主部材（２）と同じ長さの軽溝形鋼（４）を溝状をなす開口側が下側（底面側）になるように装着し、短冊板状の副部材（３）により主部材（２）、（２）の両端面を、必要あれば連設せる主部材（２）、（２）．．．の両側に狭幅の間隔を置き副部材（３）を配設し格子状に溶接などで組立てたのち、広幅に設定された主部材（２）、（２）間と軽溝形鋼（４）のなす表面側の空隙を砂利などの粒状骨材およびエポキシ樹脂の合成樹脂接着剤よりなる透水性充填材（５）を用い充填せるものである。
従って、主部材（２）に穿設した排水用の透孔（６）は砂利などの透水性充填材（５）の粒径よりも小さくし、軽溝形鋼（４）の上面にほゞ一致する位置に全長に亘り設けるが、透孔（６）の形状は円形の外、細長のスリット状にするも差支えない。
【００１０】
図１に示す実施例は、短冊平板状のステンレス鋼板製で一般にフラットバーと呼ばれている主部材（２）を用い、同じ短冊平板状のステンレス鋼板製の副部材（３）を側板として用い格子状に組立てたもので、狭幅の主部材（２）、（２）の間隔は約６ｍｍ、広幅の主部材（２）、（２）の間隔は約４０ｍｍに設定した。また、広幅の主部材（２）、（２）間には軽溝形鋼（４）が溝の開口側が下側になるよう、かつ、両辺の下端が主部材（２），（２）の下端に一致するよう嵌挿され主部材（２）、副部材（３）と溶接するなどして固定し、粒状骨材として砂利を、接着剤としてエポシキ樹脂を用い充填固定せるものである。
【００１１】
図２に示す実施例は、溝蓋用グレーチングの主部材として広く使用されている、ステンレス鋼より成型してなる上下が厚く成型されたＩバーと呼ばれる主部材（２’）を用いたもので、軽溝形鋼（４）の両辺は主部材（２’），（２’）の中間部の薄い部分に接し、下側の厚い部分で支えられるようにして組立てたものである。なお、砂利などよりなる透水性充填材（５）の充填は図１の実施例同様に行なわれる。
【００１２】
なお、組立に当り、図２，３に示す如く、狭幅部の両側に位置する主部材（２），（２）又は主部材（２’），（２’）の隙間寸法を一定に保つため、主部材の排水用の透孔（６）を利用し、間隙保持用ピン（７）を主部材の両端側にそれぞれ１ケ所並列せる主部材の側面に垂直になるよう嵌挿保持するとよい。
【００１３】
【発明の効果】
本発明は、以上説明したように構成されているので、以下に記載されているような効果を奏する。
本発明の溝蓋用グレーチングは、全長に亘り狭幅のスリット部と広幅の透水性充填材が充填された充填部が交互に設けられているので、歩行者のハイヒールなどの靴の踵でも挟まることなく、また乳母車の細幅の車輪も挟まることなく通行できるものであり、雨水などの排水も良好で、充填材面も雨水が浸透するので水濡れによる滑る恐れもなくなるものである。
さらに、透水性充填材の粒状骨材に美粧な砂利、ガラス、セラミック、合成樹脂などを選ぶことが出来、また接着剤を着色するなどして、美粧な溝蓋グレーチングを安価に提供できるものである。
【図面の簡単な説明】
【図１】本発明の溝蓋用グレーチングの一例を示す部分拡大断面斜視図。
【図２】別の実施例の部分拡大断面図。
【図３】使用部材の部分断面斜視図。
【符号の説明】
１  溝蓋用グレーチング
２  主部材
３  副部材
４  軽溝形鋼
５  透水性充填材
６  透孔
７  間隙保持用ピン
【図１】
0004251308.tif 000002
【図２】
0004251308.tif 000003
【図３】
0004251308.tif 000004